(57)【要約】【課題】一覧表示から必要な画像を迅速に見つけ出し、かつその画像に対するコピーやプリント等の処理を迅速に行わせることができるようにする。【解決手段】画像取扱装置は、デジタルカメラから取得した画像をデジタルカメラごとに表示装置に選択可能に一覧表示するとともに、デジタルカメラが、自身が選択した画像に対して行うべき処理を選択するための処理選択部ＩＣ１〜ＩＣ３を画像の一覧とともに表示装置に表示する。デジタルカメラにより処理選択部のいずれかを撮像すると、デジタルカメラは、得られた画像データに基づいて実行すべき処理を認識し、画像取扱装置に実行要求を出す。画像取扱装置はその実行要求を受け付け、その要求を満たすための動作を行う。【選択図】図３
2013175990.tif 000002
【特許請求の範囲】
【請求項１】
複数のデジタルカメラとネットワークを構成可能な画像取扱装置であって、
前記デジタルカメラから取得した画像をデジタルカメラごとに表示装置に選択可能に一覧表示するとともに、前記デジタルカメラが、自身が選択した画像に対して行うべき処理を選択するための処理選択部を前記画像の一覧とともに前記表示装置に表示する表示制御手段と、
前記デジタルカメラからの、前記選択された画像に対する前記選択された処理の実行要求を受け付け、その要求を満たすための動作を行う動作制御手段とを具備することを特徴とする画像取扱装置。
【請求項２】
前記処理選択部は、複数の処理に対応する複数のアイコンとして表示されることを特徴とする請求項１に記載の画像取扱装置。
【請求項３】
前記複数のアイコンは、一覧表示される各画像に対応して表示されることを特徴とする請求項２に記載の画像取扱装置。
【請求項４】
前記動作制御手段は、前記選択された画像のコピー要求を前記デジタルカメラから受け付けると、前記選択された画像を要求元の前記デジタルカメラに送信することを特徴とする請求項１〜３のいずれか１項に記載の画像取扱装置。
【請求項５】
前記動作制御手段は、前記選択された画像のプリント要求を前記デジタルカメラから受け付けると、前記ネットワークを構成するプリンタに、前記選択された画像のプリントを指示することを特徴とする請求項１〜４のいずれか１項に記載の画像取扱装置。
【請求項６】
請求項１〜５のいずれか１項に記載の画像取扱装置とデジタルカメラと表示装置とを含むネットワークシステムであって、
前記デジタルカメラは、前記表示装置に表示された複数の前記処理選択部のいずれかを撮像して得られる画像データに基づいて、前記実行要求を前記画像取扱装置に送信することを特徴とするカメラネットワークシステム。
【請求項７】
前記デジタルカメラは、前記画像データを解析し、その解析結果に基づいて要求すべき処理を認識し、認識した処理の実行要求を前記画像取扱装置に送信することを特徴とする請求項６に記載のカメラネットワークシステム。
【請求項８】
前記デジタルカメラは、前記画像データを前記実行要求として前記画像取扱装置に送信し、前記画像取扱装置は、受信した当該画像データを解析して実行すべき処理を認識することを特徴とする請求項６に記載のカメラネットワークシステム。
【発明の詳細な説明】
【技術分野】
【０００１】
本発明は、画像取扱装置およびカメラネットワークシステムに関する。
【背景技術】
【０００２】
複数のデジタルカメラとテレビとでネットワークを構築し、各デジタルカメラ間で画像の交換が行えるようにしたシステムが知られている（例えば、特許文献１参照）。このシステムでは、ネットワーク内の全カメラから収集した画像をテレビ画面にスライドショー形式で順次入れ替えて表示する。各カメラのユーザは、スライドショーを見ながら各画像の要否を判断し、必要と判断した場合に自身のカメラで所定の操作を行うと、そのとき表示されている画像がネットワークを介して当該カメラに転送されてくる。また、スライドショーを見ながら画像のプリントを指示することも可能である。
【先行技術文献】
【特許文献】
【０００３】
【特許文献１】特開２００８−１６０４２６号公報
【発明の概要】
【発明が解決しようとする課題】
【０００４】
しかしながら、引用文献１のように、スライドショーによって画像の要否を１枚１枚判断させる方式では、各ユーザが必要な画像を迅速に見つけ出すことができず、画像入手までに相当の時間を要し、使い勝手がよいとは言えない。
【課題を解決するための手段】
【０００５】
本発明に係る画像取扱装置は、複数のデジタルカメラとネットワークを構成可能なものであって、デジタルカメラから取得した画像をデジタルカメラごとに表示装置に選択可能に一覧表示するとともに、デジタルカメラが、自身が選択した画像に対して行うべき処理を選択するための処理選択部を画像の一覧とともに表示装置に表示する表示制御手段と、デジタルカメラからの、選択された画像に対する前記選択された処理の実行要求を受け付け、その要求を満たすための動作を行う動作制御手段とを具備することを特徴とする。
本発明に係るカメラネットワークシステムは、上述した画像取扱装置とデジタルカメラと表示装置とを含むものであって、デジタルカメラは、表示装置に表示された複数の処理選択部のいずれかを撮像して得られる画像データに基づいて、実行要求を画像取扱装置に送信することを特徴とする。
【発明の効果】
【０００６】
本発明によれば、一覧表示から必要な画像を迅速に見つけ出し、かつその画像に対する処理（例えば、コピーやプリント等）を速やかに行わしめることができる。
【図面の簡単な説明】
【０００７】
【図１】本発明の一実施形態におけるネットワークシステムの構成図。
【図２】デジタルカメラの制御ブロック図。
【図３】マスタカメラによる画像一覧表示の一例を示す図。
【図４】カメラのネットワーク動作を説明するメインのフローチャート。
【図５】図４に続くフローチャート。
【図６】図４の動作要求処理の詳細を示すフローチャート。
【図７】図６の要求送信処理の詳細を示すフローチャート。
【図８】マスタカメラによるリクエストハンドラの詳細を示すフローチャート。
【図９】動作要求処理の他の例を示すフローチャート。
【発明を実施するための形態】
【０００８】
図面を参照して本発明の一実施形態を説明する。
図１に示すように、本実施形態におけるカメラネットワークは、複数台のデジタルカメラ１０（ここでは、１０Ａ〜１０Ｃ）と、プリンタ３０と、外部表示装置４０とを接続して成る。複数のカメラ１０のうち１台はマスタカメラとして、他はスレーブカメラとして機能する。この例ではカメラ１０Ｂがマスタカメラである。マスタカメラ１０Ｂは、各スレーブカメラ１０Ａ，１０Ｃと例えば無線接続され、スレーブカメラから画像データを取得したり、スレーブカメラに画像を送信することが可能である。
【０００９】
プリンタ３０および外部表示装置４０は、マスタカメラ１０Ｂに接続され、外部表示装置４０に画像やアイコンを表示させたり、プリンタ３０に画像の印刷を指示する制御はマスタカメラ１０Ｂが行う。外部表示装置４０は、例えばパーソナルコンピュータ用のモニタや、テレビ等が用いられる。マスタカメラ１０Ｂがプロジェクタ機能を有している場合は、画像をスクリーン等に投影することで外部表示装置４０に代えることができる。マスタカメラ１０Ｂはまた、インターネット回線等のネットワーク回線５０を介して外部のサーバ６０との通信が可能である。
【００１０】
図２はカメラ１０の概略ブロック図（マスタ／スレーブ共通）である。撮影レンズ１を透過した被写体光束は、撮像素子１２で撮像され、その撮像信号は画像処理部１３に入力される。画像処理部１３を構成する画像処理回路１３ａは、入力された撮像信号に種々の処理を施して画像データを生成する。画像データは、表示回路１３ｂによる処理を経て液晶モニタ３に表示される。
【００１１】
撮影モード設定時には、上記撮像が繰り返され、その都度得られる画像データに基づく画像が液晶モニタ３に逐次更新表示される。この逐次更新表示は、ライブビュー表示またはスルー画表示と呼ばれ、撮影者はその表示画像を見ながら構図を決定する。撮影指示がなされると、改めて撮像が行われ、それによって生成された画像データは、コンピュータで扱うことが可能な画像ファイルとして、記録／再生回路１３ｃによりメモリカード等の記録媒体１５に記録される。画像ファイルは、上記画像データの他に、メタデータやサムネイルデータを含んでいる。
【００１２】
再生モードでは、記録媒体１５に記録された画像ファイルを記録／再生回路１３ｃにて読み出し、画像処理回路１３ａおよび表示回路１３ｂによる処理を経て液晶モニタ３に画像として表示することができる。
【００１３】
ＣＰＵ１６は、操作部１７や加速度センサ１８からの入力に応答して、上記画像処理部１３やＡＦ駆動回路１９、通信回路２０、その他の不図示の回路を制御する。操作部１７は、レリーズボタンや電源ボタン、その他の複数の操作部材を含む。加速度センサ１８は、カメラに加わる加速度およびその方向を検出し、ＣＰＵ１６に入力する。これによりＣＰＵ１６は、カメラの動きおよびその方向を検知できる。ＡＦ駆動回路１９は、ＣＰＵ１６の指示に応じてＡＦモータ２１を駆動し、撮影レンズ１の合焦光学系を移動させてピント合わせ（ＡＦ）を行う。通信回路２０は、有線／無線の通信部であり、上記カメラネットワークの構築等に用いられる。
【００１４】
またＣＰＵ１６は、ユーザの入力に基づいて、種々のカメラ設定を行う。ネットワーク関係では、当該カメラをマスタカメラとして使用するか、スレーブカメラとして使用するかを設定できる。
【００１５】
次に、図１のネットワーク環境でのカメラ動作について説明する。
カメラの再生モードには、通常の再生モードとネットワーク再生モードとがあり、各カメラ１０Ａ〜１０Ｃをネットワーク再生モードに設定すると、マスタカメラ１０ＢのＣＰＵ１６は、自カメラおよび他のカメラ内の各画像データ（各カメラの記録媒体１５に記録されている画像ファイル内の画像データ）を読み出し、外部表示装置４０に画像一覧表示を行う。
【００１６】
図３は一覧表示の画面例を示している。画面内に明示されたカメラＡ〜Ｃは、図１のカメラ１０Ａ〜１０Ｃにそれぞれ対応し、上段にカメラ１０Ａ内の画像が、中段にカメラ１０Ｂ内の画像が、下段にカメラ１０Ｃ内の画像が、それぞれ所定の順序で（例えば撮影日時順に）表示される。各表示画像に重ねて、画像送りアイコンＩＣ１、プリントアイコンＩＣ２、コピーアイコンＩＣ３の３種類のアイコンがそれぞれ表示される。各アイコンＩＣ１〜ＩＣ３には、画像番号を表す数値が重ねて表示される。３種類のアイコンに描かれる図柄は各カメラで共通であるが、表示色がカメラごとに異なる。
【００１７】
なお、アイコンを各表示画像に重ねて表示する例を示したが、各画像の近傍（例えば下方）にアイコンを表示するようにすれば、アイコンの種類を増やしても画像の確認に支障を来すことがない。
【００１８】
各カメラ１０Ａ〜１０Ｃのユーザは、上記一覧表示により、自身のカメラで撮影した画像だけでなく、ネットワーク内の他のカメラで撮影された画像をも確認できる。そして、自身のカメラで任意の表示画像の任意のアイコン部分を撮像することで、マスタカメラ１０Ｂにその画像に対する要求を出すことができる。
【００１９】
例えば、カメラ１０Ａのユーザがカメラ１０Ｃ内の画像３を入手したい場合は、カメラ１０Ａで一覧表示上の当該画像３のコピーアイコンＩＣ３を撮像する。すなわち、当該アイコン部分を構図に入れ、ＡＦ操作（例えば、レリーズボタンの半押し操作）を行う。その際、他のアイコンは構図に入らないようにする。コピーアイコンＩＣ３には、フォルダを模した図柄が描かれているので、誤って他のアイコンを撮像してしまうことはない。
【００２０】
カメラ１０ＡのＣＰＵ１６は、ユーザのＡＦ操作に応答してピント合わせを行うとともに撮像を行い、生成された画像データに対し、予め用意されたアイコンのパターンとのマッチング処理を行う。その結果、カメラ１０ＡのＣＰＵ１６は、画像データ中にコピーアイコンＩＣ３が含まれることと、そのコピーアイコンＩＣ３に付随する数値（画像番号）が「３」であること、またコピーアイコンＩＣ３の色から、当該画像がカメラ１０Ｃ内の画像であることを認識する。そして、当該画像ファイルをコピーしたい旨の要求をマスタカメラ１０Ｂに送信する。
【００２１】
特定の画像をプリントしたい場合は、対応する表示画像のプリントアイコンＩＣ２を撮像すれば、上述と同様にしてその画像をプリントしたい旨の要求がマスタカメラ１０Ｂに送信される。プリントアイコンＩＣ２には、プリンタを模した図柄が描かれているので、他のアイコンを誤って撮像してしまうことはない。
【００２２】
また、ユーザが画像送りアイコンＩＣ１を撮像し、次いでカメラを左右いずれかに振ると、ＣＰＵ１６は、加速度センサ１８の出力によりカメラの動作および方向を検知し、表示上の画像を順送り（左方向）または逆送り（右方向）したい旨の要求をマスタカメラ１０Ｂに送信する。例えば、カメラ１０Ａの表示画像を順送りしたい場合、ユーザはカメラ１０Ａの表示画像のアイコンＩＣ１を撮像した後、自カメラを左方に振ればよい。順送りにおいては、左の表示画像を選択した場合は１駒送り（１枚入れ替え）、中央の表示画像を選択した場合は２駒送り、右の画像を選択した場合は３駒送り（総入れ替え）、逆送りの場合はその逆となるようにしてもよい。画像送りアイコンＩＣ１は、画像送り方向の矢印の形状をしているので、他のアイコンを誤って撮像してしまうことはない。
【００２３】
このように各カメラのＣＰＵ１６は、外部表示装置４０に表示された画像のアイコン部分を撮像して得られた画像データから、ユーザがいずれのカメラ内のいずれの画像を選択したかを認識すると同時に、その選択画像に対してユーザが何を求めているかを認識することができ、それに基づいてマスタカメラ１０Ｂに適切な要求を行うことができる。マスタカメラ１０ＢのＣＰＵ１６は、後述するリクエストハンドラにて上記の要求を受け付け、各要求を満足するための処理を迅速に行う。これによれば、各ユーザは、一覧表示から必要な画像を迅速に見つけ出すことができ、しかもその画像中の所望の処理に対応したアイコンを撮像するだけでよいので、画像選択操作と処理選択操作とを別々に行う必要がなく、使い勝手がよい。
【００２４】
図４〜図８は、上述のネットワーク動作を実現するためのＣＰＵ１６の処理手順を示している。
＜メイン処理＞
カメラで再生モードを設定すると、当該カメラのＣＰＵ１６によって図４のプログラムが起動される。ＣＰＵ１６は、ステップＳ１でネットワーク再生モードが選択されているか否かを判定し、肯定されるとステップＳ２以降のネットワーク処理を行う。なお、ハード的なネットワーク環境は既に整っているものとして説明する。
【００２５】
ステップＳ２では、自カメラがマスタ／スレーブのいずれに設定されているかを判定する。自カメラがマスタカメラに設定されていればステップＳ３に進み、リクエストハンドラを起動する（未起動の場合）。ステップＳ４では、スレーブカメラからの接続要求の有無を確認し、接続要求がなされている場合は、ステップＳ５でスレーブカメラに固有のＩＤを割り振る。ステップＳ６では、スレーブカメラから画像ファイルを収集し、自身の画像ファイルも含めて外部表示装置４０に上述した画像一覧表示（例えば、図３）を行う。ここで、マスタカメラが収集する画像ファイルは、このとき画像一覧に表示する画像ファイルのみである（図３では、各３画像のみ）。
【００２６】
ステップＳ７では動作要求処理を実行する（詳細は後述する）。ここで、動作要求処理において画像ファイルのコピーを要求した場合は、要求した画像ファイルが他のカメラから送信されてくる。ステップＳ８で画像ファイルの受信を確認すると、ステップＳ９でその画像ファイルを自カメラの記録媒体１５に記録する。
【００２７】
ステップＳ１０では再生モードの解除処理がなされたか否かを判定し、否定されるとステップＳ１に戻り、肯定されるとステップＳ１１でリクエストハンドラを終了し、ステップＳ１２でライブビュー表示をオフして処理を終了させる。
【００２８】
一方、自カメラがスレーブカメラに設定されている場合は、ステップＳ５からステップＳ１３（図５）に進む。ステップＳ１３では、既にマスタカメラからＩＤを取得しているか否かを判定し、未だ取得していない場合は、ステップＳ１４でマスタカメラに接続要求（ＩＤの送信要求）を行う。その後、ステップＳ１５でＩＤを取得すると、図４のステップＳ７に進む。
【００２９】
ステップＳ１でネットワーク再生モードでないと判定された場合は、ステップＳ１６でネットワークを利用しない通常の再生処理を行う（詳細は省略する）。なお、リクエストハンドラ実行中であればこれを終了させ、ライブビュー表示がオンであればオフする。
【００３０】
＜動作要求処理＞
図６はステップＳ７の動作要求処理の詳細を示している。この処理は、マスタカメラに対して動作要求を行うものであり、自カメラがマスタの場合は、自身に対して要求を出すことになる。
【００３１】
ＣＰＵ１６は、ますステップＳ７１で自カメラのライブビュー表示をオンする。これによりユーザは、液晶モニタ３上のライブビュー表示を見ながら構図を決定し、任意の表示画像のアイコンを撮像するすることができる。ユーザが構図を決めてＡＦ操作（例えば、レリーズボタンの半押し操作）を行うと、ステップＳ７２からステップＳ７３に進み、ＣＰＵ１６はＡＦ駆動回路１９を介してピント合わせを行った後、ＡＦロックする。ステップＳ７４では、ＡＦロック後のライブビュー画像データに対し、パターンマッチング処理を行う。アイコンＩＣ１〜ＩＣ３のいずれかのパターンに一致した場合は、ステップＳ７５からステップＳ７６に進み、パターンマッチング結果に基づいて、ユーザによって選択された画像と、要求内容とを認識する。その詳細は上述したとおりである。
【００３２】
＜要求送信処理＞
ステップＳ７７では、要求送信処理を実行する。その詳細を示す図７において、ステップＳ７７１では要求内容を判定する。画像データ中にアイコンＩＣ１を認識した場合は、「画像送り」と判断し、ステップＳ７７２において、加速度センサ１８による加速度の感知を待つ。加速度を感知するとステップＳ７７３に進み、加速度センサ１８の出力に基づいてカメラが振られた方向を認識し、その方向に表示画像を送ることを要求する画像送り要求を、自カメラのＩＤとともに送信する。画像送り要求には、いずれのカメラの画像を送るのか、また送り量に関する情報をも含んでいる。
【００３３】
画像データ中にアイコンＩＣ２を認識した場合は、ステップＳ７７１で「プリント」と判断し、ステップＳ７７４において、プリントを行うか否かを確認するための確認メッセージを液晶モニタ３に表示する。ステップＳ７７５でユーザのＯＫ操作が確認されるとステップＳ７７６に進み、選択画像のプリントを要求するプリント要求を、自カメラのＩＤとともに送信する。ユーザのＮＧ操作が確認されると、ステップＳ７７６はスキップされる。
【００３４】
なお、マスタカメラにプリンタ３０が接続されていない場合は、各表示画像中にプリンタアイコンＩＣ２を表示しない、つまり「プリント」を要求できないようにすることが望ましい。
【００３５】
画像データ中にアイコンＩＣ３を認識した場合は、ステップＳ７７１で「コピー」と判断し、ステップＳ７７７において、コピー行うか否かを確認するための確認メッセージを液晶モニタ３に表示する。ステップＳ７７８でユーザのＯＫ操作が確認されるとステップＳ７７９に進み、選択画像のコピーを要求するコピー要求を、自カメラのＩＤとともに送信する。ユーザのＮＧ操作が確認されると、ステップＳ７７９はスキップされる。
【００３６】
＜リクエストハンドラ＞
図８はマスタカメラによって実行されるリクエストハンドラの詳細を示している。リクエストハンドラには所定の実行周期が設定されており、要求を受信した次の実行周期で当該要求を満たすための動作を実行する。
【００３７】
マスタカメラのＣＰＵ１６は、ステップＳ１００１でスレーブカメラまたは自カメラからの要求を受信すると、ステップＳ１００２で要求元のＩＤを確認する。これによりいずれかのカメラからの要求であるかが分かる。ステップＳ１００３では要求内容を判別し、「画像送り要求」であれば、ステップＳ１００４において、送り対象の表示画像、送り量、送り方向などを、受信した要求内容に基づいて認識する。ステップＳ１００５では、上記要求を満足するように、画像一覧表示上の画像送りを行う。すなわち、新しく表示すべき画像データを収集し、非表示となる画像に代えて表示する。
【００３８】
ステップＳ１００３で「プリント要求」と判定された場合は、ステップＳ１００６において、受信した要求内容に基づいてプリントすべき画像を認識し、ステップＳ１００７でその対象画像ファイルと印刷指示とをプリンタ３０に送信する。プリンタ３０は、これに応答して対象画像をプリントする。
【００３９】
ステップＳ１００３で「コピー要求」と判定された場合は、ステップＳ１００８において、受信した要求内容に基づいてコピーすべき画像ファイルを認識するとともに、ステップＳ１００９において、受信したＩＤに基づいてコピー先カメラを認識する。ステップＳ１０１０では、コピーすべき画像ファイルのコピーをコピー先カメラに送信する。このとき、送るべき画像ファイルが自カメラ内の画像ファイルである場合は、当該画像ファイルをそのままコピー先に送ることになる。一方、送るべき画像ファイルが他のカメラ内の画像ファイルであった場合でも、その画像ファイルは一覧表示にあたって既に収集しているので、改めて他のカメラから収集することなくコピー先カメラに送ることができる。したがって、要求元のカメラは所望の画像ファイルを速やかに入手できる。
【００４０】
以上説明した実施形態では、各カメラで表示画像のアイコンを撮像すると、当該カメラがパターンマッチングを行って対象画像と要求内容とを把握するようなっているが、パターンマッチングをマスタカメラが行うようにしてもよい。すなわち、各カメラは、アイコンを撮像して得られた画像データそのものを実行要求としてマスタカメラに送信し、マスタカメラは、その画像データに対してパターンマッチングを行い、対象画像と要求内容とを把握して要求に沿った動作を行う。
【００４１】
また、表示画像のアイコンを撮像することに代えて、アイコンをカーソルで選択することで実行要求をマスタカメラに送信するようにしてもよい。この場合のフローを図９に示す。
【００４２】
図９のフローは上述した図６のフローに代わるもので、ＣＰＵ１６は、ステップＳ１０７１でユーザによるカーソル移動操作がなされたか否かを判定する。カーソルは、各カメラに対応して一覧表示の画面内に表示され、各ユーザは、カメラに元々備わっている十字キーや４方向ボタン等を操作することで、自身のカーソルを画面内で自在に移動できる。
【００４３】
ステップＳ１０７１が否定されるとステップＳ１０７３に進み、肯定されるとステップＳ１０７２に進む。ステップＳ１０７２では、カーソル移動操作に応じて画面上のカーソルを移動させる。ステップＳ１０７３では、ユーザによる決定ボタン操作がなされたか否かを判定し、肯定されるとステップＳ１０７４で、カーソルがいずれかのアイコン上にあるか否かを判定する。ステップＳ１０４７が肯定されると上記ステップＳ７７の要求送信処理に進む。
【００４４】
液晶モニタ３にタッチパネルを配したカメラでは、そのタッチパネルを用いてアイコンを選択できるようにしてもよい。この場合は、外部表示装置４０に表示する画像一覧をカメラの液晶モニタ３にも表示し、ユーザが液晶モニタ３上の任意のアイコン部分をタッチすることで、そのアイコンに対応する要求がマスタカメラに送信されるようにする。また、タッチパネル上で指をスライドすると、そのスライド方向をカメラが認識し、その結果を上記画像送りに用いるようにしてもよい。この場合は、上述した加速度センサ１８は不要となる。
【００４５】
また以上では、画像一覧表示において、表示画像のそれぞれに対して各アイコンを表示したが、画像一覧とは異なる位置に各１個のアイコンを表示し、ユーザがまず画像を選択し、次いで要求する処理をアイコンで選択するようにしてもよい（先にアイコン選択、次いで画像選択でもよい）。この場合、画像および処理の選択は、上述した撮像による方法、カーソルやタッチパネルによる方法を用いることができる。
【００４６】
一例として、例えば各表示画像に画像送りアイコンＩＣ１を表示するとともに、画像一覧から外れた２箇所に各１個のプリントアイコンＩＣ２およびコピーアイコンＩＣ３を表示する。ユーザは、上述と同様に画像送りアイコンＩＣ１を撮像後、カメラを左右に振ることで画像送りを指示し、プリント／コピーについては、画像送りアイコンＩＣ１を撮像後、その状態でカメラをプリントアイコンＩＣ２／コピーアイコンＩＣ３の方向に振ることで指示する。カメラの振られた方向は、加速度センサ１８により検知する。ＣＰＵ１６は、画像送りアイコンＩＣ１の撮像結果によってその画像が選択されたことを認識し、カメラが振られた方向により「画像送り」、「プリント」、「コピー」のいずれであるかを認識する。
【００４７】
また以上では、スレーブカメラ間の画像ファイルの授受（コピー）を、マスタカメラを仲介として行う例を示したが、各スレーブカメラ同士を通信可能に接続すれば、マスタカメラを介さずにスレーブカメラ間で直接画像ファイルの授受を行うことができる。
【００４８】
さらに、コピーやプリント以外の処理を行えるようにしてもよい。例えば所望の画像ファイルを外部のサーバ６０（例えば、画像共有サイトのサーバ）にアップロードする機能があってもよい。この場合は、上述したアイコンに加えてアップロードアイコンを表示し、これが選択されるとアップロード要求をマスタカメラに送信し、マスタカメラがサーバ６０に当該画像ファイルをアップロードする。その他、表示画像の一部を拡大できる機能があってもよい（ズームアイコンの付与）。
【００４９】
なお、マスタは必ずしもカメラでなくてもよく、上述したような画像一覧表示を行う機能と、リクエストハンドラにより複数のカメラからの要求を受け付けて実行する機能とを有する専用の機器であってもよい。
【符号の説明】
【００５０】
１０Ａ〜１０Ｃ  デジタルカメラ
１６  ＣＰＵ
３０  プリンタ
４０  外部表示装置
ＩＣ１〜ＩＣ３  アイコン
【図１】
2013175990.tif 000003
【図２】
2013175990.tif 000004
【図３】
2013175990.tif 000005
【図４】
2013175990.tif 000006
【図５】
2013175990.tif 000007
【図６】
2013175990.tif 000008
【図７】
2013175990.tif 000009
【図８】
2013175990.tif 000010
【図９】
2013175990.tif 000011